(57)【特許請求の範囲】
【請求項１】
オープンカーの車体に走行風巻込み防止装置を装着するための保持部材において、
前記走行風巻込み防止装置に設けられた突出部分が挿入される挿入孔を有したフランジ部と、前記挿入孔の延長方向へ中空部を形成するように、前記フランジ部の裏面から所定長さ突き出した筒状部と、を備える本体と、
前記挿入孔を塞ぐ形状に形成され、且つ前記筒状部の長さよりも短い可動栓と、を含んでオープンカーの車体側に固定され、
前記可動栓は、前記本体の挿入孔から前記筒状部の中空部内へ弾性部材とともに挿入され、当該弾性部材により前記本体の表面方向へ付勢された状態で、前記筒状部の中空部内を軸方向に摺動自在に組み込まれる構成であり、
前記走行風巻込み防止装置の取付時には、同装置に設けられた前記突出部分が、前記可動栓に接触して当該可動栓を押し込みながら、前記中空部内に挿入保持され、
さらに、前記走行風巻込み防止装置の取外時には、前記弾性部材が前記可動栓を押し出すことで、当該可動栓により前記挿入孔が塞がれることを特徴とする走行風巻込み防止装置用保持部材。
【請求項２】
前記本体の筒状部には、軸方向に延びる係止開口部が一対形成されるとともに、
前記可動栓は、奥側へ延出する筒状の側壁と、当該側壁の所定位置から奥側方向に向かって外側に広がる係止爪が一対形成されており、
前記本体と前記可動栓の組立状態において、前記係止爪が前記係止開口部内に位置し、且つ当該係止爪が当該係止開口部の端縁に係止されることを特徴とする請求項１の走行風巻込み防止装置用保持部材。
【請求項３】
前記可動栓は、前記係止爪の形成位置よりも更に奥側方向に延びた位置に、前記側壁と一体になった連結壁が形成されていることを特徴とする請求項２の走行風巻込み防止装置用保持部材。
【請求項４】
前記連結壁は、部品の識別情報が外周面に表示されていることを特徴とする請求項３の走行風巻込み防止装置用保持部材。
【請求項５】
前記識別情報は、前記連結壁から浮き出して表示されているとともに、
前記本体の筒状部は、前記可動栓を案内する内側リブが内周面に形成されており、当該内側リブは、前記識別情報と接触しない位置において前記可動栓の外周面に接触することを特徴とする請求項４の走行風巻込み防止装置用保持部材。
【請求項６】
前記本体の筒状部の外周面には、前記係止開口部における前記可動栓の移動方向に延びる側縁に沿って外側リブが形成されており、
前記本体と前記可動栓の組立状態において、前記係止爪の先端が前記外側リブから外方へ露出しない構成であることを特徴とする請求項２乃至５の走行風巻込み防止装置用保持部材。
【発明の詳細な説明】
【技術分野】
【０００１】
この発明は、オープンカーにおいて、フロントシートの後部に取り付けられる走行風巻込み防止装置を保持するための走行風巻込み防止装置用保持部材に関する。
【背景技術】
【０００２】
通常、オープンカーでは、走行中の車室内への風の巻き込みを防止するために、走行風巻込み防止装置が多く利用されている。この種の走行風巻込み防止装置は、ウインドディフレクタ、ウインドスクリーン、ウインドブロッカー等とも称され、例えば特許文献１、２等に開示されたものがある。特許文献１の走行風巻込み防止装置（wind-blocker）は、オープンカーの運転席及び助手席の後部に取り付けられ、走行中に巻き込む風を防いでいる（同文献Ｆｉｇ．３Ａ及び３Ｂ参照）。
【０００３】
このような走行風巻込み防止装置は、オープンカーに取り付ける際に、車体に予め備えられた種々の走行風巻込み防止装置用保持部材によって保持される。例えば、特許文献１の走行風巻込み防止装置は、同文献Ｆｉｇ．４、５に示すように、受け部（receiving portion 30）が走行風巻込み防止装置のメインパネル（main pane 4）を係止する構成である。
【０００４】
また、特許文献２の走行風巻込み防止装置（windscreen）は、フレーム端（frame end 134a）が筒状のレセプタクル（receptacle 108）に挿入されることで、走行風巻込み防止装置が保持される構成である。
【特許文献１】米国公開特許公報２００１／００３０４４７号
【特許文献２】米国特許公報第６３５２３００号
【発明の開示】
【発明が解決しようとする課題】
【０００５】
しかしながら、上記の特許文献１及び２の走行風巻込み防止装置用保持部材は、例えば無風等により走行風巻込み防止装置を使用しない場合、保持部材が車体から露出したままの状態となり美観を損ねていた。また、仮に美観を損ねないために、上記のような保持部材に対して蓋やカバーケースなどを取り付けるとしても、そうした取付作業に余計な手間がかかることになってしまう。
【０００６】
本発明は、このような事情に鑑みてなされたもので、走行風巻込み防止装置の着脱に大きな手間がかかることがなく、また走行風巻込み防止装置の取外時に、走行風巻込み防止装置の突出部分が挿入されていた挿入孔を塞ぐことで、車体の美観を損なうことがない走行風巻込み防止装置用保持部材の提供を目的とする。
【課題を解決するための手段】
【０００７】
上記目的を達成するために、請求項１の本発明は、
オープンカーの車体に走行風巻込み防止装置を装着するための保持部材において、
前記走行風巻込み防止装置に設けられた突出部分が挿入される挿入孔を有したフランジ部と、前記挿入孔の延長方向へ中空部を形成するように、前記フランジ部の裏面から所定長さ突き出した筒状部と、を備える本体と、
前記挿入孔を塞ぐ形状に形成され、且つ前記筒状部の長さよりも短い可動栓と、を含んでオープンカーの車体側に固定され、
前記可動栓は、前記本体の挿入孔から前記筒状部の中空部内へ弾性部材とともに挿入され、当該弾性部材により前記本体の表面方向へ付勢された状態で、前記筒状部の中空部内を軸方向に摺動自在に組み込まれる構成であり、
前記走行風巻込み防止装置の取付時には、同装置に設けられた前記突出部分が、前記可動栓に接触して当該可動栓を押し込みながら、前記中空部内に挿入保持され、
さらに、前記走行風巻込み防止装置の取外時には、前記弾性部材が前記可動栓を押し出すことで、当該可動栓により前記挿入孔が塞がれることを特徴とする。
【０００８】
また、請求項２の発明は、請求項１を前提として、
前記本体の筒状部には、軸方向に延びる係止開口部が一対形成されるとともに、
前記可動栓は、奥側へ延出する筒状の側壁と、当該側壁の所定位置から奥側方向に向かって外側に広がる係止爪が一対形成されており、
前記本体と前記可動栓の組立状態において、前記係止爪が前記係止開口部内に位置し、且つ当該係止爪が当該係止開口部の端縁に係止されることを特徴とする。
【０００９】
請求項３の発明は、請求項２を前提として、
前記可動栓は、前記係止爪の形成位置よりも更に奥側方向に延びた位置に、前記側壁と一体になった連結壁が形成されていることを特徴とする。
【００１０】
請求項４の発明は、請求項３を前提として、
前記連結壁は、部品の識別情報が外周面に表示されていることを特徴とする。
【００１１】
請求項５の発明は、請求項４を前提として、
前記識別情報は、前記連結壁から浮き出して表示されているとともに、
前記本体の筒状部は、前記可動栓を案内する内側リブが内周面に形成されており、当該内側リブは、前記識別情報と接触しない位置において前記可動栓の外周面に接触することを特徴とする。
【００１２】
請求項６の発明は、請求項２乃至５のいずれか一項を前提として、
前記本体の筒状部の外周面には、前記係止開口部における前記可動栓の移動方向に延びる側縁に沿って外側リブが形成されており、
前記本体と前記可動栓の組立状態において、前記係止爪の先端が前記外側リブから外方へ露出しない構成であることを特徴とする。
【００１３】
請求項１の発明に係る走行風巻込み防止装置用保持部材によれば、走行風巻込み防止装置の取外時に、可動栓が本体の挿入孔を自動的に閉塞する。これにより、オープンカーの車体の表面においても当該挿入孔が目立たなくなる。したがって、この走行風巻込み防止装置用保持部材を用いることにより、大きな手間をかけずに走行風巻込み防止装置を着脱できるとともに、走行風巻込み防止装置を取り外した状態において車体の美観を損なうことがない。
【００１４】
請求項２の発明にあっては、係止爪が本体の係止開口部に係止されることで、可動栓の挿入孔からの抜けが防止される。さらに係止爪は、奥側方向に向かって外側に広がる構成としてあるので、可動栓を挿入孔へ挿入する際に、この係止爪が挿入孔に接触して内側に撓んでも、弾性部材と干渉することがなく、スムーズに可動栓を挿入することができる。
【００１５】
請求項３の発明にあっては、可動栓の連結壁が側壁と一体形成されているため、可動栓の下端側を補強することができ、走行風巻込み防止装置の突出部分を本体の挿入孔から筒上部の中空部内へ挿入したときでも、可動栓を破損するおそれがない。
【００１６】
請求項４の発明にあっては、係止爪の形成位置よりも更に奥側方向に延びた位置に形成されて連結壁に識別情報を表示することで、走行風巻込み防止装置用保持部材の組立後に、ちょうど係止開口部から識別情報が露出した状態となる。よって、組立後でも識別情報によって本体と可動栓の組み合わせの正否を確認することができる。
【００１７】
請求項５の発明によれば、本体の内側リブによって、可動栓は筒状部の内周面に接触せずに中空部内を摺動することができる。よって可動栓の連結壁に表示してある識別情報は、筒状部の内周面に接触するおそれがなく、よって可動栓の摺動時に摩耗することがない。
【００１８】
請求項６の発明によれば、係止爪が外側リブよりも内側に位置した状態となる。したがって、リアサイドパネルへの取付状態において、例えば取付孔のフック部が可動栓に干渉することを防ぎ、可動栓の摺動の自在性を確保することができる。
【発明の効果】
【００１９】
以上説明したように、本発明によれば、走行風巻込み防止装置の着脱に大きな手間がかかることがなく、また走行風巻込み防止装置の取外時に、走行風巻込み防止装置の突出部分が挿入されていた挿入孔を塞ぐことで、車体の美観を損なうおそれがなくなる。
【発明を実施するための最良の形態】
【００２０】
以下、この発明の実施の形態について図面を参照して詳細に説明する。
図１乃至図１０は、本発明の実施形態に係る走行風巻込み防止装置用保持部材の構成を説明するための図であり、図１は、本実施形態に係る走行風巻込み防止装置を適用したオープンカーを概略的に示す斜視図である。
図１に示すように、オープンカー１００は、走行風巻込み防止装置２００がフロントシート（運転席及び助手席）１０１の後部に必要に応じて取り付けられる。本実施形態の走行風巻込み防止装置２００は、縦横両方向に防風壁２０１、２０２を有しており、走行中における後方からの気流を抑制する構成である。より具体的には、縦方向の防風壁２０１がフロントシート１０１に直接的に吹き込む気流を防いでおり、横方向の防風壁２０２がフロントシート１０１の下方に入り込む気流を防いでいる。
【００２１】
図２は、本実施形態に係る走行風巻込み防止装置をオープンカーに取り付ける状態を示す拡大斜視図である。
図２に示すように、上記の走行風巻込み防止装置２００は、横方向の防風壁２０２のフレーム２０３に棒状の突出部分２０４が形成されている。この突出部分２０４は、フレーム２０３の下面において前後左右の４箇所から突き出しており、オープンカー１００への取付時に、リアサイドパネル（車体）１０２に予め設けてある走行風巻込み防止装置用保持部材１に挿入される。このため走行風巻込み防止装置用保持部材１は、走行風巻込み防止装置２００の突出部分２０４に応じて、左右のリアサイドパネル１０２のフロント側とリア側の４箇所にそれぞれ設けられている。
【００２２】
なお、オープンカー１００のリアサイドパネル１０２は、曲面的に形成されることが多く、このため走行風巻込み防止装置用保持部材１は、リアサイドパネル１０２の形状や当該部材の設置位置等に応じて、露出する表面が適当な形状に形成されることが好ましい。本実施形態の走行風巻込み防止装置用保持部材１も、左右のリアサイドパネル１０２に対して左右対称となっており、さらにフロント側とリア側では異なる形状に形成してある。
以降の説明では、特に指示のない限り左側リアサイドパネル１０２のフロント側に設けられる走行風巻込み防止装置用保持部材について述べていく。
【００２３】
〔走行風巻込み防止装置用保持部材の構成〕
図３は、本実施形態に係る走行風巻込み防止装置用保持部材の全体構成を示す斜視図であり、図４は、同じく全体構成を示す展開図である。また図５は、図４（ａ）のＡ−Ａ線断面図である。
図３乃至図５に示すように、走行風巻込み防止装置用保持部材１は、剛性を有する合成樹脂材によって射出成形された本体１０及び可動栓３０と、任意の弾性力を有したコイルばね（弾性部材）４０とを備えている。走行風巻込み防止装置用保持部材１は、本体１０の挿入孔１２にコイルばね４０を介して可動栓３０が挿入されることで組み立てられる。
【００２４】
図６は、本実施形態に係る走行風巻込み防止装置用保持部材の本体を示す図であり、（ａ）は正面図、（ｂ）は（ａ）のＢ−Ｂ線断面図、（ｃ）は側面断面図、（ｄ）は（ａ）のＡ−Ａ線断面図である。
図３乃至図６に示すように、走行風巻込み防止装置用保持部材１の本体１０は、走行風巻込み防止装置２００の突出部分２０４が挿入される挿入孔１２を有したフランジ部１１と、挿入孔１２の延長方向に中空部を形成するように、フランジ部１１の裏面から所定長さ突き出た筒状部１３と、を含んでいる。
【００２５】
本体１０のフランジ部１１は、リアサイドパネル１０２への取付状態において、表面が露出部分となる。したがってフランジ部１１は、表面がオープンカー１００のリアサイドパネル１０２の表面に沿った形状に形成されている。また挿入孔１２は、このフランジ部１１のほぼ中央位置に設けられている。
【００２６】
本体１０の筒状部１３は、フランジ部１１の裏面から延長方向に延びる側壁１４と、この側壁１４の奥側端部において中空部１５を閉塞する受け部１６を備えている。筒状部１３の中空部１５には、上記した走行風巻込み防止装置２００の突出部分２０４が挿入される構成であり、したがって側壁１４は、突出部分２０４の寸法に対応してそれよりも長く形成してある。この筒状部１３の側壁１４には、軸方向に延びる一対の係止開口部１７が設けられている。この係止開口部１７は矩形状に形成してあり、後述する可動栓３０の係止爪を軸方向に案内することができる。
【００２７】
側壁２２の外周面には、対になって軸方向に延びる外側リブ１８が、係止開口部１７のある側とその側面側の四方にそれぞれ設けられている（図６（ｂ）参照）。この外側リブ１８は、フランジ部１１と筒状部１３との連結を補強している。また外側リブ１８のうち係止開口部１７側の一つと側面側の二つには、フック状の係止部１９が形成されている。各係止部１９とフランジ部１１との間隔はいずれも同じ寸法に設定してある。
また側壁１４の外周面の所定位置には、回転防止用リブ２０が設けられている。この回転防止用リブ２０は、走行風巻込み防止装置用保持部材１をリアサイドパネル１０２に取り付けた状態において、取付孔内のリブと当接して本体１０の回転を防止する機能を有している（図示せず）。
【００２８】
一方、筒状部１３の中空部１５内には、受け部１６から軸方向に延びる棒部２１が設けられている。走行風巻込み防止装置用保持部材１の組立状態では、コイルばね４０（弾性部材）がこの棒部２１に装着されることで、本体１０に固定されることになる。さらに、側壁１４の内周面には、内側リブ２２が軸方向に形成されている。この内側リブ２２は、走行風巻込み防止装置用保持部材１の組立状態において、可動栓３０の外周面と接触する。これにより可動栓３０の接触抵抗を減らし、より摺動させやすくすることができる。
【００２９】
図７は、本実施形態に係る走行風巻込み防止装置用保持部材の可動栓を示す図であり、（ａ）は正面図、（ｂ）は側面図、（ｃ）は平面図、（ｄ）は底面図、（ｅ）は（ａ）のＡＡ線断面図である。
図３乃至７に示すように、可動栓３０は、内部が中空部３３となるように側壁３１が筒状に形成され、上端においてこの中空部３３を閉塞する当接部３２が形成されている。また既述したように、可動栓３０は走行風巻込み防止装置用保持部材１の組立状態において、本体１０の挿入孔１２に挿入される。このため可動栓３０は、挿入孔１２の形状に合わせて外周形状が形成され、且つ筒状部１３の長さよりも短くなっている。さらに可動栓３０は、当接部３２の表面が本体１０のフランジ部１１の表面に沿って斜めに傾いて形成されている。
【００３０】
この可動栓３０は、側壁３１の所定位置が凹状に切り欠かれ、切り欠かれた舌片が奥側方向に向かって外側に広がるように形成されている。この舌片の奥側には、凸部３４ａが外方向に向かって形成されており、これにより舌片は可動栓３０の内側及び外側に揺動可能な係止爪３４として機能する。また可動栓３０は、係止爪３４のさらに奥側の位置に、側壁３１と一体形成された連結壁３５を有している。この連結壁３５は可動栓１０の側壁３１が撓むことを防止し、可動栓１０の強度を向上させることができる。
【００３１】
また、可動栓３０は、側壁３１の内周面にコイルばね４０を案内するばね座用リブ３６が形成されるとともに、当接部３２の裏面に環状のばね座３７が形成されている。このばね座用リブ３６は、コイルばね４０をばね座３７に案内する機能を有している。ここで、可動栓３０のばね座３７は、表面が斜めに傾いた当接部３２に関わらず、その奥側端面が筒上部１３の軸方向と垂直となるように調節されている（図７（ｅ）参照）。これにより、走行風巻込み防止装置用保持部材１の組立状態では、コイルばね４０による付勢力をばね座３７が可動栓３０の移動する方向と平行に受けるため、筒上部１３の中空部１５内での可動栓３０の円滑な移動が確保される。
【００３２】
〔走行風巻込み防止装置用保持部材の組立〕
走行風巻込み防止装置用保持部材１に組み立てる場合は、まずコイルばね４０を本体１０の挿入孔１２から挿入して棒部２１に外装する。さらに、コイルばね４０を可動栓３０の中空部３３内に挿入した状態で、可動栓３０を本体１０の挿入孔１２から筒上部１３の中空部１５へと押し込む。このとき可動栓３０の係止爪３４は、凸部３４ａが挿入孔１２の内周面に接触して内側へ撓む。しかし、係止爪３４の奥側が広く形成してあることで、内側に撓んでもコイルばね４０に干渉することがなく、スムーズに可動栓３０を挿入することができる。可動栓３０は、係止爪３４の凸部３４ａが本体１０の係止開口部１７に露出することで、内側に撓んでいた係止爪３４が拡開し、係止開口部１７に係止される。これにより走行風巻込み防止装置用保持部材１の組立が完了する。
【００３３】
走行風巻込み防止装置用保持部材１の組立状態では、図４に示すように、コイルばね４０が本体１０の受け部１６と可動栓３０のばね座３７の間に一定の弾性力を有して介在している。可動栓３０は係止爪３４が係止開口部１７内に位置し、且つこの係止爪３４の凸部３４ａが係止開口部１７の上縁に引っかかることで抜けが防止されている。また可動栓３０は、コイルばね４０によって筒状部１３の中空部１５内を軸方向に弾性的に摺動自在となっている。
【００３４】
なお、本実施形態の走行風巻込み防止装置用保持部材１は、本体１０の受け部１６の裏面と可動栓３０の連結壁３５の外周面にそれぞれ部品の識別情報５０が浮き出すように印字してある。この識別情報５０は、例えば、リアサイドパネル１０２の４箇所に異なる走行風巻込み防止装置用保持部材１を適用する場合に、どの位置に対応した部品かを表示することができる。これにより走行風巻込み防止装置用保持部材１の組立時に、本体１０と可動栓３０との識別情報５０の一致を確認することで、部品を容易に組み合わせることができ、組立作業の効率化をはかることが可能となる。
さらに、走行風巻込み防止装置用保持部材１の組立状態では、連結壁３５が係止爪３４の更に奥側の位置にあることで、ちょうど本体１０の係止開口部１７から露出した状態となる。よって、組立後でも本体１０と可動栓３０の組み合わせの正否を確認することができる。
【００３５】
〔走行風巻込み防止装置用保持部材のリアサイドパネルへの取付〕
図８は、本実施形態に係る走行風巻込み防止装置用保持部材の取付状態を示す図であり、（ａ）は側面断面図、（ｂ）は（ａ）のＡＡ線断面図である。
図８（ａ）に示すように、走行風巻込み防止装置保持用部材１のリアサイドパネル１０２への取付は、リアサイドパネル１０２の取付孔１０３に挿入して、本体１０の係止部１９が孔内のフック部１０３ａ等に引っかかることでなされる。このリアサイドパネル１０２は、既述したように曲面的に形成されているが、フランジ部１１及び係止部１９が斜めに傾むいて形成されていることで、曲面的なリアサイドパネル１０２の取付孔１０３でも確実に係止される。これにより走行風巻込み防止装置保持部材１は、本体１０の筒状部１３がちょうど延長方向に延びた状態で、リアサイドパネル１０２に取り付けられる。
【００３６】
またこのとき、オープンカー１００のリアサイドパネル１０２は、走行風巻込み防止装置用保持部材１が曲面に沿って取り付けられた状態となる。さらに走行風巻込み防止装置用保持部材１は、可動栓３０が本体１０の挿入孔１２を塞いでおり、可動栓３０の当接部３２の表面がフランジ部１１の表面とほぼ同一面となる。したがって、走行風巻込み防止装置用保持部材１の挿入孔１２は目立つことがなく、リアサイドパネル１０２の美観を大きく損なうことがない。
【００３７】
なお、走行風巻込み防止装置用保持部材１において、係止開口部１７と同一方向にある外側リブ１８は、この係止開口部１７の側縁に沿って形成されている。また係止爪３４の凸部３４ａは、この外側リブ１８よりも内側に位置した状態となっている。したがって外側リブ１８は、走行風巻込み防止装置用保持部材１の取付状態において、取付孔１０３のフック部１０３ａが可動栓３０に干渉することを防ぎ、可動栓３０の摺動の自在性を確保することができる（図８（ｂ）参照）。
【００３８】
〔走行風巻込み防止装置の取付〕
図９は、本実施形態に係る走行風巻込み防止装置用保持部材に走行風巻込み防止装置の突出部分を挿入する流れを示す側面断面図である。
走行風巻込み防止装置２００をリアサイドパネル１０２に取り付ける場合、図９に示すように、走行風巻込み防止装置２００の突出部分２０４を走行風巻込み防止装置用保持部材１の挿入孔１２に挿入する。このとき突出部分２０４は、可動栓３０の当接部３２に当接して、この可動栓３０を奥側方向へ押圧する。可動栓３０は、コイルばね４０を圧縮しつつ奥側方向に押し込まれて、本体１０の受け部１６に可動栓３０の下端部が接触することで摺動が停止する。これにより、突出部分２０４が走行風巻込み防止装置用保持部材１に保持され、走行風巻込み防止装置２００がリアサイドパネル１０２に取り付けられることになる。
【００３９】
なお、可動栓３０は、既述したように連結壁３５が側壁３１と一体成形されていることで、可動栓の下端側を補強している。このため、比較的質量の大きい走行風巻込み防止装置２００を取り付ける際に、突出部分２０４を衝撃的に挿入した場合でも、部品の破損を防止することができる。
【００４０】
また、可動栓３０は、外周面が筒状部１３の内側リブ２２に当接しているため、筒状部１３の内周面に接触せずに中空部１５内を摺動することができる。この内側リブ２２によって、可動栓３０の連結壁３５に印字してある識別情報５０も、筒状部１３の内周面に接触することがなくなる。このため、可動栓３０の摺動時に識別情報５０を削ることがない。
【００４１】
さらに、走行風巻込み防止装置２００の取付状態では、コイルばね４０が一定の弾性力をもって、突出部分２０４を支持している。このため、オープンカー１００の振動によって走行風巻込み防止装置２００が揺れたとしても、コイルばね４０が振動を吸収して大きなぶれを軽減することができ、突出部分２０４を挿入孔１２内に保持し続けることができる。
【００４２】
〔走行風巻込み防止装置の取り外し〕
走行風巻込み防止装置２００をリアサイドパネルから取り外す場合は、走行風巻込み防止装置２００を単純に上方に引き抜くことによってなされる。このとき、走行風巻込み防止装置用保持部材１は、可動栓３０がコイルばね４０によって押し出されて挿入孔１２を自動的に塞ぐ。これにより可動栓３０は、表面がフランジ部１１の表面とほぼ同一面となる取付前の状態に復元することができる。
【００４３】
〔リア側の走行風巻込み防止装置用保持部材〕
図１０は、本実施形態に係る走行風巻込み防止装置において、リアサイドパネルのリア側に取り付ける走行風巻込み防止装置用保持部材を示す図である。
同図に示すように、リアサイドパネル１０２のリア側に取り付ける走行風巻込み防止装置用保持部材１は、フロント側に取り付ける走行風巻込み防止装置用保持部材１よりもフランジ部１１の傾斜が大きくなっている。これはリアサイドパネル１０２の形状に対応した結果であり、機能や作用効果はフロント側の走行風巻込み防止装置用保持部材と同様である。また、リア側に取り付ける走行風巻込み防止装置用保持部材１は、挿入孔１２及び可動栓３０の形状を楕円形に形成してある。このように形成することで、フロント側の走行風巻込み防止装置用保持部材１で走行風巻込み防止装置２００の位置決めをすることができ、リア側の走行風巻込み防止装置用保持部材１では、突出部分２０４がその位置決めに応じて余裕をもって挿入されることになり、取付作業が容易になる。
【図面の簡単な説明】
【００４４】
【図１】本実施形態に係る走行風巻込み防止装置を適用したオープンカーを概略的に示す斜視図である。
【図２】本実施形態に係る走行風巻込み防止装置をオープンカーに取り付ける状態を示す拡大斜視図である。
【図３】本実施形態に係る走行風巻込み防止装置用保持部材の全体構成を示す斜視図である。
【図４】本実施形態に係る走行風巻込み防止装置用保持部材の全体構成を示す展開図である。
【図５】図４（ａ）のＡ−Ａ線断面図である。
【図６】本実施形態に係る走行風巻込み防止装置用保持部材の本体を示す図であり、（ａ）は正面図、（ｂ）は（ａ）のＢ−Ｂ線断面図、（ｃ）は側面断面図、（ｄ）は（ａ）のＡ−Ａ線断面図である。
【図７】本実施形態に係る走行風巻込み防止装置用保持部材の可動栓を示す図であり、（ａ）は正面図、（ｂ）は側面図、（ｃ）は平面図、（ｄ）は底面図、（ｅ）は（ａ）のＡＡ線断面図である。
【図８】本実施形態に係る走行風巻込み防止装置用保持部材の取付状態を示す図であり、（ａ）は側面断面図、（ｂ）は（ａ）のＡＡ線断面図である。
【図９】本実施形態に係る走行風巻込み防止装置用保持部材に走行風巻込み防止装置の突出部分を挿入する流れを示す側面断面図である。
【図１０】本実施形態に係る走行風巻込み防止装置において、リアサイドパネルのリア側に取り付ける走行風巻込み防止装置用保持部材を示す図である。
【符号の説明】
【００４５】
１：走行風巻込み防止装置用保持部材、
１０：本体、１１：フランジ部、１２：挿入孔、１３：筒状部、１４：側壁（本体）、１５：中空部（本体）、１６：受け部、１７：係止開口部、１８：外側リブ、１９：係止部、２０：回転防止用リブ、２１：棒部、２２：内側リブ
３０：可動栓、３１：側壁（可動栓）、３２：当接部、３３：中空部（可動栓）、３４：係止爪、３４ａ：凸部、３５：連結壁、３６：ばね座用リブ、３７：ばね座、
４０：コイルばね、
５０：識別情報、
１００：オープンカー、１０１：フロントシート、１０２：リアサイドパネル、１０３：取付孔、１０３ａ：フック部
２００：走行風巻込み防止装置、２０１：縦方向の防風壁、２０２：横方向の防風壁、２０３：フレーム、２０４：突出部分、
【図１】
0005002472.tif 000002
【図２】
0005002472.tif 000003
【図３】
0005002472.tif 000004
【図４】
0005002472.tif 000005
【図５】
0005002472.tif 000006
【図６】
0005002472.tif 000007
【図７】
0005002472.tif 000008
【図８】
0005002472.tif 000009
【図９】
0005002472.tif 000010
【図１０】
0005002472.tif 000011